(57)【特許請求の範囲】
【請求項１】
撮像された画像を保存記録する保存記録メモリを備えた電子撮像装置において、
前記保存記録メモリに保存記録している各画像に対して、複数の外部装置の各々に対して送信済みであるか否かの別を示す送信状態識別情報を登録する画像管理手段と、
前記保存記録メモリに記録されている画像を前記複数の外部装置の中から選択された外部装置に対して送信する送信手段と、
前記送信手段による前記画像の送信を行った場合に、前記画像が前記選択された外部装置へ送信済みであることを示す送信状態識別情報を前記画像管理手段に追加登録する制御手段と、
この画像管理手段に登録されている送信状態識別情報を取り出して、前記保存記録メモリに保存記録している各画像が、前記複数の外部装置のいずれに対して送信済みであるみか否かを判別する送信状態判別手段と、
を備え、
前記画像管理手段は、前記複数の外部装置の各々に対応させて、各外部装置を識別する外部装置識別情報を設け、この複数の外部装置識別情報の各々に対応させて、各画像が各外部装置に送信済みであるか否かを示す送信状態識別情報を登録し、
前記画像管理手段に前記外部装置識別情報が設けられていない新たな外部装置を追加する場合に、この新たに追加する外部装置に対応する外部装置識別情報を特定し、この特定された外部装置識別情報を前記画像管理手段に追加する外部装置追加手段を更に備えたことを特徴とする電子撮像装置。
【請求項２】
前記外部装置を識別する外部装置識別情報は、キー操作により入力或いは選択された情報、又は送信先の外部装置から送られてきた情報であることを特徴とする請求項１記載の電子撮像装置。
【請求項３】
前記外部装置追加手段は、外部装置と接続された場合に、この接続された外部装置から前記外部装置識別情報を受信し、この受信した前記外部装置識別情報が前記画像管理手段に登録されている前記外部装置識別情報のいずれとも一致しない場合に、この受信した外部装置識別情報を新たに追加することを特徴とする請求項１記載の電子撮像装置。
【請求項４】
前記送信状態識別情報は、複数の外部装置識別情報の各々に対応させて、各画像が各外部装置に送信済みであるか否かを示す状態マークを管理し、
前記送信状態判別手段は更に、各画像毎に、前記送信状態識別情報で管理される状態マークの数を判別することを特徴とする請求項１記載の電子撮像装置。
【請求項５】
前記送信状態判別手段により判別される状態マークの数に応じて、所定の処理の対象となる画像を選択する選択制御手段を更に備えたことを特徴とする請求項４載の電子撮像装置。
【請求項６】
前記送信状態判別手段により判別される状態マークの数に応じて、各画像に対する所定の処理の有無を選択する選択制御手段を更に備えたことを特徴とする請求項４記載の電子撮像装置。
【請求項７】
前記送信状態判別手段により判別される状態マークの数に応じて、削除処理の対象となる画像を選択する選択制御手段を更に備えたことを特徴とする請求項５記載の電子撮像装置。
【請求項８】
撮像された画像を保存記録する保存記録メモリと、この保存記録メモリに保存記録している各画像に対して、複数の外部装置の各々に対して送信済みであるか否かの別を示す送信状態識別情報を登録する画像管理手段とを備えた電子撮像装置を制御する記録画像管理方法であって、
前記保存記録メモリに記録されている画像を前記複数の外部装置の中から選択された外部装置に対して送信する送信ステップと、
前記送信ステップによる前記画像の送信を行った場合に、前記画像が前記選択された外部装置へ送信済みであることを示す送信状態識別情報を前記画像管理手段に追加登録する制御ステップと、
この画像管理手段に登録されている送信状態識別情報を取り出して、前記保存記録メモリに保存記録している各画像が、前記複数の外部装置のいずれに対して送信済みであるみか否かを判別する送信状態判別ステップと、
を含み、
前記画像管理手段は、前記複数の外部装置の各々に対応させて、各外部装置を識別する外部装置識別情報を設け、この複数の外部装置識別情報の各々に対応させて、各画像が各外部装置に送信済みであるか否かを示す送信状態識別情報を登録し、
前記画像管理手段に前記外部装置識別情報が設けられていない新たな外部装置を追加する場合に、この新たに追加する外部装置に対応する外部装置識別情報を特定し、この特定された外部装置識別情報を前記画像管理手段に追加する外部装置追加ステップを更に有することを特徴とする記録画像管理方法。
【発明の詳細な説明】
【技術分野】
【０００１】
本発明はデジタルカメラ等の電子撮像装置で撮影し保存記録した記録画像の管理技術に関する。
【背景技術】
【０００２】
デジタルカメラ等の電子撮像装置では撮像した被写体画像（撮像画像）をフラッシュメモリ等の保存記録用メモリに保存記録し、再生時に記録画像を保存記録用メモリから取り出して再生／表示することができる。
また、図１に示すようにデジタルカメラ１００のフラッシュメモリに保存記録した記録画像（記録画像全部或いは、所望の記録画像）を外部装置２００、例えば、パーソナルコンピュータ（以下、パソコン）等の画像処理装置の記録用メモリ等の保存装置に送信して保存記録させることもできる。
【０００３】
デジタルカメラから外部メモリを備えた外部保存装置（以下、外部装置）への記録画像の送信は、デジタルカメラの出現当初にはデジタルカメラのフラッシュメモリの容量が小さく、多量の画像を保存記録するだけの大きさがなかったことや、デジタルカメラ側での画像アプリケーションが開発されていなかったこと等により、デジタルカメラでは被写体画像を撮像してフラッシュメモリに保存記録するが、フラッシュメモリが直ぐに一杯になるのでパソコン等に全記録画像を送信してから、フラッシュメモリに記録された画像を削除して新たな画像の記録を可能にしたり、画像アプリケーション用に指定された画像をパソコンに送信していた（この場合、送信された画像は通常は削除される）。
【発明の開示】
【発明が解決しようとする課題】
【０００４】
しかしながら、デジタルカメラが販売され始めてからごく短期間の間にフラッシュメモリの大容量化および記録密度の向上と処理速度の高速化が進み、現在では機種によっては３百枚以上の画像を保存記憶可能なものもあり、近い将来にはより多くの画像を保存記録可能なデジタルカメラの登場も見込まれ得る。
【０００５】
このようなデジタルカメラでは画像の保存や利用はデジタルカメラで行うことができるので、外部装置に記録画像を送信するケースとして、大切な画像や長期保存を要する画像をピックアップして外部装置に保存するため送信したり、デジタルカメラではできない特殊な画像加工や利用を行うためにパソコン側に記録画像を送信することがあるが、従来のように、フラッシュメモリが一杯の場合の代替保存目的で送信する必要はあまり生じない。
【０００６】
また、上述したような大容量／高記録密度のフラッシュメモリを備えたデジタルカメラでは画像を利用するアプリケーションをデジタルカメラで行うこともできるので、仮に、パソコン等の外部装置に画像を送信してもユーザによる削除指定のない限りデジタルカメラ側にも送信した画像を残しておくこととなる。
【０００７】
しかしながら、従来のデジタルカメラではどの外部装置にどの画像を送信したかの別や、送信済み画像と未送信画像の別を知ることができないので、ユーザが同じ外部装置に重複して同じ画像を送ったり、未送信画像を送信済み画像と間違えて削除してしまう場合があるという問題点があった。
【０００８】
本発明は上記問題点を解決するためになされたものであり、記録画像の重複送信等が生じることがないように記録画像の送信状況や送信先等を管理し得る記録画像管理方法および電子撮像装置の提供を目的とする。
【課題を解決するための手段】
【０００９】
第１の発明の電子撮像装置は、撮像された画像を保存記録する保存記録メモリを備えた電子撮像装置において、前記保存記録メモリに保存記録している各画像に対して、複数の外部装置の各々に対して送信済みであるか否かの別を示す送信状態識別情報を登録する画像管理手段と、前記保存記録メモリに記録されている画像を前記複数の外部装置の中から選択された外部装置に対して送信する送信手段と、前記送信手段による前記画像の送信を行った場合に、前記画像が前記選択された外部装置へ送信済みであることを示す送信状態識別情報を前記画像管理手段に追加登録する制御手段と、この画像管理手段に登録されている送信状態識別情報を取り出して、前記保存記録メモリに保存記録している各画像が、前記複数の外部装置のいずれに対して送信済みであるみか否かを判別する送信状態判別手段と、を備え、前記画像管理手段は、前記複数の外部装置の各々に対応させて、各外部装置を識別する外部装置識別情報を設け、この複数の外部装置識別情報の各々に対応させて、各画像が各外部装置に送信済みであるか否かを示す送信状態識別情報を登録し、前記画像管理手段に前記外部装置識別情報が設けられていない新たな外部装置を追加する場合に、この新たに追加する外部装置に対応する外部装置識別情報を特定し、この特定された外部装置識別情報を前記画像管理手段に追加する外部装置追加手段を更に備えたことを特徴とする。
【００１０】
第２の発明の電子撮像装置は更に、前記外部装置を識別する外部装置識別情報は、キー操作により入力或いは選択された情報、又は送信先の外部装置から送られてきた情報であることを特徴とする。
【００１１】
第３の発明の電子撮像装置は更に、前記外部装置追加手段は、外部装置と接続された場合に、この接続された外部装置から前記外部装置識別情報を受信し、この受信した前記外部装置識別情報が前記画像管理手段に登録されている前記外部装置識別情報のいずれとも一致しない場合に、この受信した外部装置識別情報を新たに追加することを特徴とする。
【００１２】
第４の発明の電子撮像装置は更に、前記送信状態識別情報は、複数の外部装置識別情報の各々に対応させて、各画像が各外部装置に送信済みであるか否かを示す状態マークを管理し、前記送信状態判別手段は更に、各画像毎に、前記送信状態識別情報で管理される状態マークの数を判別することを特徴とする。
【００１３】
第５の発明の電子撮像装置は更に、前記送信状態判別手段により判別される状態マークの数に応じて、所定の処理の対象となる画像を選択する選択制御手段を更に備えたことを特徴とする。
【００１４】
第６の発明の電子撮像装置は更に、前記送信状態判別手段により判別される状態マークの数に応じて、各画像に対する所定の処理の有無を選択する選択制御手段を更に備えたことを特徴とする。
【００１５】
第７の発明の電子撮像装置は更に、前記送信状態判別手段により判別される状態マークの数に応じて、削除処理の対象となる画像を選択する選択制御手段を更に備えたことを特徴とする。
【００１６】
第８の発明の記録画像管理方法は、撮像された画像を保存記録する保存記録メモリと、この保存記録メモリに保存記録している各画像に対して、複数の外部装置の各々に対して送信済みであるか否かの別を示す送信状態識別情報を登録する画像管理手段とを備えた電子撮像装置を制御する記録画像管理方法であって、前記保存記録メモリに記録されている画像を前記複数の外部装置の中から選択された外部装置に対して送信する送信ステップと、前記送信ステップによる前記画像の送信を行った場合に、前記画像が前記選択された外部装置へ送信済みであることを示す送信状態識別情報を前記画像管理手段に追加登録する制御ステップと、この画像管理手段に登録されている送信状態識別情報を取り出して、前記保存記録メモリに保存記録している各画像が、前記複数の外部装置のいずれに対して送信済みであるみか否かを判別する送信状態判別ステップと、を含み、前記画像管理手段は、前記複数の外部装置の各々に対応させて、各外部装置を識別する外部装置識別情報を設け、この複数の外部装置識別情報の各々に対応させて、各画像が各外部装置に送信済みであるか否かを示す送信状態識別情報を登録し、前記画像管理手段に前記外部装置識別情報が設けられていない新たな外部装置を追加する場合に、この新たに追加する外部装置に対応する外部装置識別情報を特定し、この特定された外部装置識別情報を前記画像管理手段に追加する外部装置追加ステップを更に有することを特徴とする。
【発明の効果】
【００１８】
本発明によれば、保存記録している各画像に対して、複数の外部装置の各々に対して送信済みであるか否かの別を示す送信状態識別情報を登録し、選択された外部装置に対して画像を送信した場合に、この送信状態識別情報を追加登録するので、保存記録した各画像が、複数の外部装置のいずれに対して送信済みであるみか否かを判断することができる。
【発明を実施するための最良の形態】
【００２５】
図１は、電子撮像装置から外部装置への記録画像送信の説明図であり、符号１００は電子撮像装置としてのデジタルカメラ、符号２００は外部装置としてのパソコン、符号５はデジタルカメラ１００とパソコン２００を接続する送信ケーブルを示す。
【００２６】
デジタルカメラ１００は撮像した被写体画像をフラッシュメモリに保存記憶し、ユーザは所望の時期に記録画像をフラッシュメモリから取り出して再生することができる。また、デジタルカメラ１００から所望の時期に所望の画像をパソコン２００に送信することができる。また、デジタルカメラ１００は内部に記録画像を管理する画像管理テーブルを備え、記録アドレス（記録開始アドレスおよび記録終了アドレス）、撮影日時、画像の種類、記録密度等の他、パソコン２００等の外部保存装置への画像の送信状態や送信先等を管理する。
【００２７】
なお、図１ではデジタルカメラ１００とパソコン２００をケーブル５で接続し、デジタルカメラ１００からパソコン２００に画像をシリアル送信する例を示したが、デジタルカメラ１００からパソコン２００への画像送信はこれに限定されず、それ以外の方法、例えば、赤外線通信による画像送信、モデムを介しての有線通信による画像送信、或いは、無線通信による画像送信でもよい。また、送信先の外部装置は１台に限定されず、複数の異なる外部装置でもよい。また、複数の外部装置に同一の画像をほぼ同一のタイミングで送信することもできる。
【００２８】
［電子撮像装置の回路構成例］
図２は本発明を適用した電子撮像装置の一実施例としてのデジタルカメラの回路構成例を示すブロック図であり、図２でデジタルカメラ１００は、撮像部１０，制御部２０，操作部３０，表示部４０、フラッシュメモリ５０、送受信部６０を備えている。
【００２９】
撮像部１０は、撮像レンズ、絞り機構、シャッター機構等と撮像レンズを介して取り込まれた被写体像を電気信号に変換するＣＣＤ（撮像素子）および電気信号を変換して画像を得る信号変換部、信号処理部および取り込まれた画像を記憶するＤＲＡＭ（図示せず）を備えている。
【００３０】
制御部２０はＣＰＵ、ＲＡＭ、プログラム格納用ＲＯＭおよびタイマ等を有したマイクロプロセッサ構成を有しており、ＣＰＵはデジタルカメラ１００の各回路および図示しない電源切換えスイッチ等にバスラインを介して接続し、プログラム格納用ＲＯＭに格納されている制御プログラムによりデジタルカメラ１００全体の制御を行なうと共に、操作部３０からの状態信号に対応してプログラム格納用ＲＯＭに格納されている各モードに対応の処理プログラムを取り出して、デジタルカメラ１００の各機能の実行制御、例えば、撮像や記録画像の再生機能や画像の送信機能の実行等を行なう他、本発明に基づく記録画像の管理等の実行制御や通信制御プログラムに基づく画像送信制御を行う。
【００３１】
操作部３０は処理モード切替えスイッチ、機能選択用ボタン、メインスイッチ、およびシャッターボタン、＋／−キー、カーソル移動キー等のスイッチやボタン（キー）を構成部分としており、これらのスイッチ或いはボタンが操作されると状態信号が制御部２０に送出される。また、操作部３０に文字や数字を入力可能なキーを設けるようにしてもよい。
【００３２】
表示部４０はドライバおよび液晶デイスプレイ（ＬＣＤ）等から構成された液晶表示装置からなり、制御部２０の表示制御により、撮像時の動画表示、再生時の再生画像表示、処理選択時の選択用メニューやガイド（或いはアイコン）の表示等を行なう。
【００３３】
フラッシュメモリ５０は撮像モードでＪＰＥＧ圧縮された画像データを保存記録する。また、フラッシュメモリ５０には図４に示すように画像データを保存記録する領域の他、画像データの記録時に当該画像の記録アドレスや撮影日時、画像の種類、記録密度等の他、画像の送信状況や送信先等を管理する画像管理テーブル７０（図５）を記録することもできる。また、保存記録する画像と共にその画像の縮小画像（サムネイル画像）を保存記録するようにしてもよい。また、プログラムＲＯＭに代えて各プログラムを記録することもできる。なお、フラッシュメモリに代えて着脱可能なＩＣカードを用いるようにしてもよい。
【００３４】
送受信部６０は入出力端子部Ａを有し、通信制御プログラムによる制御の下で、入出力端子部Ａに接続されるケーブルを介して送受信コマンドや画像データ（および画像サイズ等の画像情報）を送信し、パソコン等の外部装置から送受信コマンド（および、装置番号や空き容量等の装置情報）を受信する。なお、送受信部６０を赤外線通信可能に構成してもよく、また、無線通信可能に構成してもよい。
【００３５】
［外部装置の構成例］
図３は電子撮像装置から画像を受信して保存記録する外部装置の一実施例としてのパソコンの構成例を示すブロック図であり、パソコン２００は制御部２２０，操作部２３０，表示部２４０、外部メモリ２５０および送受信部２６０を有している。
【００３６】
制御部２２０はＣＰＵ、ＲＡＭ（内部メモリ）、プログラム格納用ＲＯＭおよびタイマ等を有したマイクロプロセッサ構成を有しており、ＣＰＵはパソコン２００の各回路および図示しない電源切換えスイッチ等にバスラインを介して接続し、プログラム格納用ＲＯＭに格納されている制御プログラム（ＯＳ：オペレーションシステム）によりパソコン２００全体の制御を行なうと共に、操作部２３０からのコマンド入力に対応してプログラム格納用ＲＯＭに格納されている処理プログラムを取り出して、パソコン２００のアプリケーションの実行制御、例えば、保存記録した画像の検索、再生、表示や、画像の加工処理の実行等を行なう他、通信制御プログラムの制御下でデジタルカメラ１００からの画像データ等の受信処理等の実行制御を行う。
【００３７】
操作部２３０は入力キーボード、ファンクションキーおよびメインスイッチ等のキーやスイッチを構成部分としており、これらのスイッチ或いはキーが操作されると入力されたデータ或いはコマンドが電気信号に変換されて制御部２２０に送出される。
【００３８】
表示部２４０はモニター等のデイスプレイ装置からなり、制御部２２０の表示制御により、文字や画像、或いは、処理選択時の選択用メニューやガイド（或いはアイコン）の表示等を行なう。
【００３９】
外部メモリ２５０は磁気デイスクやハードデイスクのように画像データを保存記録可能な大容量メモリからなっている。
【００４０】
送受信部２６０は入出力端子部Ｂを有し、入出力端子部Ｂに接続されるケーブルを介して送受信コマンド（および／または、装置情報や空き容量情報等）を送信し、デジタルカメラ１００等の電子撮像装置から送受信コマンドや画像データを受信する。なお、送受信部２６０を赤外線通信可能に構成してもよく、また、無線通信可能に構成してもよい。
【００４１】
［フラッシュメモリの構成例］
図４はデジタルカメラ１００のフラッシュメモリの領域構成例の説明図であり、フラッシュメモリ５０は画像記憶領域５１、画像管理テーブル記憶領域５２および作業領域５３から構成されている。また、画像記憶領域５１にはＪＰＥＧ圧縮された画像データ１〜画像データｎが保存記録される。
【００４２】
［画像管理テーブル］
図５は画像管理テーブルの構造の一実施例を示す構造説明図であり、画像管理テーブル７０は本実施例ではフラッシュメモリ５０上に設けたが、これに限定されず、別途、リムーバブル（書き換え可能）なメモリを設け、そのメモリに画像管理テーブルを記録しておくようにしてもよい。
【００４３】
図５の例では、画像管理テーブル７０は、保存記録する画像の画像番号を記録する画像番号欄７１と、画像のフラッシュメモリ５０上の記録開始アドレスを記録する開始アドレス欄７２と、記録終了アドレスを記録する終了アドレス欄７３と、撮影日時を記録する撮影日時記録欄７４と、画像の種類（通常画像（通常撮像モードで撮った画像）、パノラマ画像、連写画像、動画、接写画像等の区別）コードを記録する種類記録欄７５と、画素密度を記録する密度記録欄７６と、記録画像の外部装置への送信状態を送信先の装置７７−１，７７−２，７７−３，・・・毎に記録する送信状態記録欄７７等を備えている。
【００４４】
なお、開始アドレス欄７２の「ＡＤＲ１」は画像番号１の開始アドレスの値を意味し、・・・「ＡＤＲｎ」は画像番号ｎの画像の開始アドレスを意味する。また、終了アドレス欄７３の「ＡＤＲ２−１」は画像番号１の終了開始アドレスの値（すなわち、画像番号２の開始アドレス−１番地）を意味し、・・・「ＡＤＲＰ−１は画像番号ｎの画像の開始アドレス（すなわち、画像管理テーブルの開始アドレスー１番地）を意味する。
また、この例では種類欄７５のコード”１”は通常撮像を、コード”３”はパノラマ画像を、コード”１１”はストロボ近接撮影を意味する。また、密度欄７６の記号”Ｎ”は標準密度を”Ｆ”は精細密度（例えば、標準密度の３倍の密度）を意味する。
また、送信状況欄７７の装置ＩＤ１，ＩＤ２，ＩＤ３，・・は画像の送信先外部装置の識別子を意味し、また、送信状況欄７７の各装置ＩＤ欄には状態マーク”０”、”１”、”Ｆ”のいずれかが書き込まれており、状態マーク”０”の場合にはその装置にはその画像が未送信であることを意味し、”１”の場合にはその装置にはその画像を送信済みであることを意味し、”Ｆ”の場合にはその装置欄はまだ１度もデジタルカメラ１００に接続されたことがないことを意味する。
【００４５】
デジタルカメラ１００と外部装置が接続されると制御部２０は外部装置から送られる装置ＩＤと各装置ＩＤ欄に登録されているＩＤを比較し、一致する場合にはその装置ＩＤ欄を用い、画像の送信が行われるとその装置ＩＤ欄のうち送信した画像に対応する部分に状態マーク”１”を書き込む。
また、外部装置から送られる（或いは、ユーザによって入力された）装置ＩＤと各装置ＩＤ欄に登録されているＩＤが一致しなかった場合には未使用の装置ＩＤ欄の一つにその装置ＩＤを登録すると共に、その装置ＩＤ欄を状態マーク”０”で初期化して（すなわち、全画像未送信の状態として）、画像の送信が行われるとその装置ＩＤ欄のうち送信した画像に対応する部分に状態マーク”１”を書き込む。
【００４６】
図５の例で、画像番号１の画像は装置ＩＤ１、装置ＩＤ２の外部装置のいずれにも未送信であり、画像番号２の画像は装置ＩＤ１の外部装置には未送信であるが装置ＩＤ２の外部装置には送信済みであり、画像番号３の画像は装置ＩＤ１、装置ＩＤ２の外部装置のいずれにも送信済みであり、画像番号ｉの画像は装置ＩＤ１の外部装置には送信済みであるが、装置ＩＤ２の外部装置には未送信であることを示している。
【００４７】
［画像送信（転送）時の画像管理動作例］
図６〜図８はデジタルカメラ１００からパソコン２００（外部装置）に記録画像を送信（転送）する場合のデジタルカメラ側の画像管理動作例を示すフローチャートであり、デジタルカメラ１００とパソコン２００をケーブルで接続して画像を送信（転送）する例である。また、図６は送信先外部装置の装置ＩＤをユーザが入力し、送信先から送信画像を記憶可能な空き領域を受信する例、図７は送信先の外部装置の装置ＩＤをユーザが入力し、デジタルカメラ側から送信画像の容量（サイズ）を送信する例、図８は送信先の外部装置から送られる装置ＩＤを用いる例である。
【００４８】
１．送信先の外部装置の装置ＩＤをユーザが入力し、送信先から送信画像を記憶可能な空き領域を受信する例（図６）
【００４９】
ステップＳ０：（パソコンとの接続）
ユーザはデジタルカメラ１００の端子Ａとパソコン２００の端子Ｂをケーブル５で接続する（図１）。
【００５０】
ステップＳ１：（ユーザによる装置ＩＤ入力）
ユーザは画像を送信するパソコン（デジタルカメラ１００とケーブル接続したパソコン２００）の装置ＩＤ（または、ニモニックコード）を操作部３０のキー操作により入力する。制御部２０は操作部３０から装置ＩＤを受け取るとそれを制御部２０のＲＡＭに記憶する。
なお、装置ＩＤのキー入力に代えて装置ＩＤを一覧表示してカーソル移動等により選択するようにしてもよい。この場合には、（１）予め複数の装置ＩＤ（装置と無関係な単なる１，２，３，・・・等の数字でもよい）を登録しておくか、（２）送信初期時だけ装置ＩＤを入力し、２回目移行には入力した装置ＩＤを一覧表示し、ユーザがそれを選択する、ようにする。
【００５１】
ステップＳ２：（パソコンの保存メモリの空き容量取得）
制御部２０はパソコン２００に保存メモリ（外部メモリ２５０）の空き容量値Ｖの送信用要求を送信し、パソコン２００から空き容量情報を受信するとそれを制御部２０のＲＡＭに記憶する。
【００５２】
ステップＳ３：（最低容量のチェック）
次に、制御部２０は取得した空き容量Ｖが最低容量ｖ（例えば、画像１枚分を記憶する大きさ）を越えているか否かを調べ、越えている場合にはＳ４に遷移し、越えていない場合にはＳ１６に遷移する。
【００５３】
ステップＳ４：（画像管理テーブルの装置ＩＤ登録確認）
制御部２０は、ステップＳ１でユーザが入力した装置ＩＤと画像管理テーブル７０の装置欄７７−１，７７−２，７７−３，・・に書き込まれている装置ＩＤとを比較し、入力した装置ＩＤが画像管理テーブル７０の装置欄７７−１，７７−２，７７−３，・・に書き込まれている装置ＩＤのいずれかと一致した場合にはＳ７に遷移する。また、一致しない場合にはＳ５に遷移する。
【００５４】
ステップＳ５：（装置ＩＤの登録）
制御部２０は上記ステップＳ１で入力した装置ＩＤが画像管理テーブル７０の装置欄７７−１，７７−２，７７−３，・・に書き込まれている装置ＩＤのいずれにも一致しない場合には、その装置ＩＤを画像管理テーブル７０の装置欄７７−１，７７−２，７７−３，・・のうちの装置ＩＤが未登録の欄いずれか１つに書き込むと共に、その欄の状態マークをすべて”０”として（装置ＩＤが未登録の欄の状態マークの初期値はすべて”Ｆ”となっているが、装置ＩＤの登録時に”０”とする）、Ｓ６に遷移する。
【００５５】
ステップＳ６：（画像送信方法の選択画面の表示等）
制御部２０は図９（ａ）に示すような選択画面（９０）およびアイコン９１，９２（またはメッセージ）を表示して、未送信画像を一括送信するか、選択した画像を送信（選択送信）するかの指示を促し、ユーザが一括送信を選択した場合にはＳ１２に遷移する。また、選択送信を指示した場合にはＳ７に遷移する。なお、送信方法の選択は操作部３０に設けられたカーソル移動キーによるアイコン（またはメッセージ）のポイントにより行うことができる。
【００５６】
ステップＳ７：（送信画像の選択）
制御部２０はステップＳ１で指定（入力）された画像管理テーブル７０上の装置ＩＤ欄を調べ、その装置に未送信の画像（つまり、状態マークが”０”の画像）を順次再生して表示部４０に表示し、ユーザによる画像の選択を可能とし、ユーザが所望の記録画像を選択するとＳ８に遷移する。また、送信したい画像がない場合（画像を選択することなく選択終了操作がなされた場合）にはＳ１６に遷移する。なお、送信画像の選択は公知の方法により画像を早送りして所望の未送信画像を検索するか、或いは、フラッシュメモリ５０に縮小画像（サムネイル画像）も保存記録する構成の場合には１画面に未送信の画像の縮小画像をマルチ表示して選択することができる。
【００５７】
ステップＳ８：（画像の送信）
制御部２０は上記ステップＳ７で選択された画像（圧縮データ）をフラッシュメモリから取り出して送受信部６０からパソコン２００に送信し、パソコン２００から受信完了通知信号を受け取った場合には正常に送信が終了したものと判断してＳ９に遷移する。また、パソコン２００から異常通知信号を受け取った場合には送信を中断しＳ７に戻る（送信を何回か再試行しても送信できない場合にＳ７に戻るようにしてもよい）。また、画像（圧縮データ）の他に画像情報等を送信するようにしてもよい。
【００５８】
ステップＳ９：（送信済み状態マークの書き込み）
制御部２０は送信が正常に行われた場合には画像管理テーブル７０上でその画像のパソコン２００（送信先装置ＩＤ）に対する状態マークを”１”に書き換えて送信済み画像とする。
【００５９】
ステップＳ１０：（パソコンの空き容量計算）
制御部２０はパソコン２００の空き容量Ｖから送信画像の必要記憶容量ｖ’を差し引いてパソコン２００の空き容量Ｖを更新し（すなわち、Ｖ＝Ｖ−ｖ’）、更新後の空き容量Ｖが最低容量ｖ以上か否かを調べ、空き容量Ｖ＞最低容量ｖの場合にはＳ１１に遷移し、そうでない場合にはＳ１６に遷移する。
【００６０】
ステップＳ１１：（次の送信画像の有無判定）
制御部２０は表示画面上に図９（ｂ）に示すようなアイコン９３，９４（またはメッセージ）を表示してユーザにパソコン２００に送信する画像があるか否かの指示入力を促し、ユーザが”送信画像あり”をポイントした場合にはＳ７に戻って次の送信画像の選択操作を行い、そうでない場合にはＳ１６に遷移する。
【００６１】
ステップＳ１２：（全送信画像の必要記憶容量算出）
上記ステップＳ６で一括送信が選択された場合には、制御部２０は画像管理テーブル７０をサーチし、パソコン２００に対する未送信画像の容量（つまり、送信先の装置ＩＤ欄で状態マークが”０”となっている画像の容量）をそれぞれ算出して積算し、未送信画像を全て送信する場合に必要なパソコン２００側の記憶容量（必要記憶容量）Ｖ”を計算し、上記ステップＳ２で取得したパソコン２００の空き容量Ｖと比較する。そして、Ｖ”≦Ｖの場合にはＳ１３に遷移し、Ｖ”＞Ｖの場合にはＳ６に遷移する（Ｓ１６に遷移するようにしてもよい）。
【００６２】
必要記憶容量Ｖ”の計算は、図５の画像管理リスト７０を例としたとき、装置ＩＤ１をパソコン２００の装置ＩＤとすると、未送信画像は画像番号１と画像番号２の画像であるから、画像番号１の記憶容量と画像番号２の記憶容量の和が必要記憶容量となる。画像番号１の記憶容量Ｖ１＝ＡＤＲ２−ＡＤＲ１、画像番号２の記憶容量Ｖ２＝ＡＤＲ３−ＡＤＲ２で求めることができる。従って、必要記憶容量Ｖ”＝Ｖ１＋Ｖ２＋Ｃとなる（Ｃは画像情報分の記憶容量）。
【００６３】
ステップＳ１３：（画像の送信）
制御部２０は画像管理テーブル７０をサーチし、パソコン２００に対する未送信画像（圧縮データ）を１画像分フラッシュメモリ５０から取り出して送受信部６０からパソコン２００に送信し、パソコン２００から受信完了通知信号を受け取った場合には正常に送信が終了したものと判断してＳ１４に遷移する。また、パソコン２００から異常通知信号を受け取った場合にはその画像の送信を中断してＳ１５に遷移する（送信を試行しても送信できない場合にＳ１５に遷移するようにしてもよい。また、ステップＳ１６に遷移するようにしてもよい）。また、画像（圧縮データ）の他に画像情報等を送信するようにしてもよい。また、送信異常の場合には図９（ｄ）に示すようなアイコン９８，９９（またはメッセージ）を表示して次の画像の送信を行う（Ｓ１５に遷移する）か、一括送信を中止する（Ｓ１６に遷移する）かを選択させるようにしてもよい。
【００６４】
ステップＳ１４：（送信済み状態マークの書き込み）
制御部２０は送信が正常に行われた場合には画像管理テーブル７０上でその画像のパソコン２００に対する状態マークを”１”に書き換えて送信済み画像とする。
【００６５】
ステップＳ１５：（次の送信画像の有無判定）
制御部２０はパソコン２００に対する未送信画像（つまり、パソコン２００の装置ＩＤ欄で状態マークが”０”となっている画像）を全てパソコン２００に送信したか否かを調べ、送信し終わるまでＳ１３に戻って未送信画像の送信を繰り返す。
【００６６】
ステップＳ１６：（次に画像を送信する外部装置の有無判定）
制御部２０は表示画面上に図９（ｃ）に示すようなアイコン９５，９６（またはメッセージ）を表示してユーザに画像を送信すべき他の外部装置があるか否かの指示入力を促し、ユーザが”次に送信先あり”をポイントした場合にはＳ０に戻って、ユーザによる次の外部装置とデジタルカメラの接続操作を待ち、そうでない場合には画像送信処理を終了する。
【００６７】
２．送信先の外部装置の装置ＩＤをユーザが入力し、送信側から装置ＩＤと送信画像を記憶可能な空き領域を送信する例（図７）
図７で、ステップＴ０，Ｔ１の動作は図６のステップＳ０，Ｓ１の動作と同様である。以下、ステップＴ２以降の動作について説明する。
【００６８】
ステップＴ２：（装置ＩＤの確認要求）
制御部２０は装置ＩＤを装置ＩＤ確認要求信号と共にパソコン２００に送信し、パソコン２００からの確認信号を受信した場合にＴ３に遷移し、パソコン２００から未確認信号（装置ＩＤエラー信号）を受け取ると再入力のためにＴ１に戻る。
【００６９】
ステップＴ３：（画像管理テーブルの装置ＩＤ登録確認）
制御部２０は、ステップＴ１でユーザが入力した装置ＩＤと画像管理テーブル７０の装置欄７７−１，７７−２，７７−３，・・に書き込まれている装置ＩＤとを比較し、入力した装置ＩＤが画像管理テーブル７０の装置欄７７−１，７７−２，７７−３，・・に書き込まれている装置ＩＤのいずれかと一致した場合にはＴ５に遷移する。また、一致しない場合にはＴ４に遷移する。
【００７０】
ステップＴ４：（装置ＩＤの登録）
制御部２０はその装置ＩＤを画像管理テーブル７０の装置欄７７−１，７７−２，７７−３，・・のうちの装置ＩＤが未登録の欄いずれか１つに書き込むと共に、その欄の状態マークをすべて”０”としてＴ５に遷移する。
【００７１】
ステップＴ５：（画像送信方法の選択画面の表示等）
制御部２０は図９（ａ）に示すような選択画面（９０）およびアイコン９１，９２（またはメッセージ）を表示して、未送信画像を一括送信するか、選択した画像を送信（選択送信）するかの指示を促し、ユーザが一括送信を選択した場合にはＴ１１に遷移する。また、選択送信を指示した場合にはＴ６に遷移する。
【００７２】
ステップＴ６：（送信画像の選択）
制御部２０はステップＴ１で指定（入力）された画像管理リスト７０上の装置ＩＤを調べ、その装置に未送信の画像を順次再生して表示部４０に表示し、ユーザによる画像の選択を可能とし、ユーザが所望の記録画像を選択するとＴ７に遷移する。また、送信したい画像がない場合にはＴ１６に遷移する。
【００７３】
ステップＴ７：（選択画像容量の送信）
制御部２０は上記ステップＴ６で選択された画像（圧縮データ）の記憶容量（サイズ）を画像管理リスト７０の開始アドレス欄７２の値から算出して送受信部６０からパソコン２００に送信し、パソコン２００から送信許可通知信号を受け取った場合にはパソコン側に保存記憶容量があるものと判断してＴ８に遷移する。また、パソコン２００から送信不可（容量不足）通知信号を受け取った場合には送信を中止しＴ１６に遷移する。
【００７４】
ステップＴ８：（画像の送信）
制御部２０は上記ステップＴ６で選択された画像（圧縮データ）をフラッシュメモリから取り出して送受信部６０からパソコン２００に送信し、パソコン２００から受信完了通知信号を受け取った場合には正常に送信が終了したものと判断してＴ９に遷移する。また、パソコン２００から異常通知信号を受け取った場合には送信を中止してＴ６に戻る（送信を何回か再試行しても送信できない場合にＴ６に戻るようにしてもよい）。また、画像（圧縮データ）の他に画像情報等を送信するようにしてもよい。
【００７５】
ステップＴ９：（送信済み状態マークの書き込み）
制御部２０は送信が正常に行われた場合には画像管理テーブル７０上でその画像のパソコン２００に対する状態マークを”１”に書き換えて送信済み画像とする。
【００７６】
ステップＴ１０：（次の送信画像の有無判定）
制御部２０は表示画面上に図９（ｂ）に示すようなアイコン９３，９４（またはメッセージ）を表示してユーザにパソコン２００に送信する画像があるか否かの指示入力を促し、ユーザが”送信画像あり”をポイントした場合にはＴ６に戻って次の送信画像の選択操作を行い、そうでない場合にはＴ１６に遷移する。
【００７７】
ステップＴ１１：（全送信画像の必要記憶容量算出）
上記ステップＴ５で一括送信が選択された場合には、制御部２０は画像管理リスト７０をサーチし、パソコン２００に対する未送信画像の容量をそれぞれ算出して積算し、未送信画像を全て一括送信する場合に必要なパソコン２００側の記憶容量（必要記憶容量）Ｖ”を計算する。
【００７８】
ステップＴ１２：（全画像容量の送信）
制御部２０は上記ステップＴ１１で計算した全未送信画像の記憶容量Ｖ”を送受信部６０からパソコン２００に送信し、パソコン２００から送信許可通知信号を受け取った場合にはパソコン側に保存記憶容量があるものと判断してＴ１３に遷移する。また、パソコン２００から送信不可（容量不足）通知信号を受け取った場合には送信を中止しＴ１６に遷移する。
【００７９】
ステップＴ１３：（画像の送信）
制御部２０は画像管理リスト７０をサーチし、パソコン２００に対する未送信画像（圧縮データ）を１画像分フラッシュメモリ５０から取り出して送受信部６０からパソコン２００に順次送信し、パソコン２００から受信完了通知信号を受け取った場合には正常に送信が終了したものと判断してＴ１４に遷移する。また、パソコン２００から異常通知信号を受け取った場合にはその画像の送信を中止してＴ１４に遷移する（送信を再試行しても送信できない場合にＴ１５に遷移するようにしてもよい）。また、図９（ｄ）に示すようなアイコン９８，９９又はメッセージを表示して次の画像の送信を行う（Ｔ１５に遷移する）か、一括送信を中止する（Ｔ１６に遷移する）かを選択させるようにしてもよい。
【００８０】
ステップＴ１４：（送信済み状態マークの書き込み）
制御部２０は送信が正常に行われた場合には画像管理テーブル７０上でその画像のパソコン２００に対する状態マークを”１”に書き換えて送信済み画像とする。
【００８１】
ステップＴ１５：（次の送信画像の有無判定）
制御部２０はパソコン２００に対する未送信画像を全てパソコン２００に送信したか否かを調べ、送信し終わるまでＴ１３に戻って未送信画像の送信を繰り返す。
【００８２】
ステップＴ１６：（次に画像を送信する外部装置の有無判定）
制御部２０は表示画面上に図９（ｃ）に示すようなアイコン９５，９６（またはメッセージ）を表示してユーザに画像を送信すべき他の外部装置があるか否かの指示入力を促し、ユーザが”次の送信先あり”をポイントした場合にはＴ０に戻って、ユーザによる次の外部装置とデジタルカメラの接続操作を待ち、そうでない場合には画像送信処理を終了する。
【００８３】
３．送信先の外部装置から送られる装置ＩＤを用いる例（図８）
上記図６，図７の例ではユーザが送信先の装置（パソコン２００）の装置ＩＤを入力したが（図６（Ｓ１）、図７（Ｔ１））、本実施例ではデジタルカメラ１００とパソコン２００を接続した後、パソコン２００から装置ＩＤを受信するようにした例である。
【００８４】
ステップＳ０’（Ｔ０’）’：（パソコンとの接続）
図８で、ユーザはデジタルカメラ１００の端子Ａとパソコン２００の端子Ｂをケーブル５で接続する（図１）。
【００８５】
ステップＳ１’（Ｔ１’）：
制御部２０は送受信部６０を介してパソコン２００にパソコン２００の装置ＩＤ送信要求信号を送出する。
【００８６】
ステップＳ１”（Ｔ１”）：（装置ＩＤの受信）
制御部２０はパソコン２００から装置ＩＤを受信するとそれを制御部２０のＲＡＭに記憶してＳ２（Ｔ３）に遷移し、Ｓ２（Ｔ３）以降の動作を行う。
【００８７】
上記それぞれの実施例では、デジタルカメラの内部に送信、未送信を判別する状態マークを登録するので、撮像した画像データが送信済みか未送信かをユーザが意識しなくてもよい。また、同じ外部装置に重複して送信するようなことが起こらない。また、複数の外部装置を用いる場合、外部装置おのおのに対する未送信画像を送信することができる。
【００８８】
［パソコン側の動作例］
図１０はデジタルカメラからパソコン（外部装置）に記録画像を送信（転送）する場合のパソコン側の動作例を示すフローチャートであり、（ａ）は図６のデジタルカメラ１００の動作に対応するパソコン２００側の動作であり、デジタルカメラ１００に空き容量を送信する例、（ｂ）は図７のデジタルカメラ１００の動作に対応するパソコン２００側の動作でありデジタルカメラ１００から装置ＩＤと送信画像の容量を受信する例、（ｃ）は図８のデジタルカメラ１００の動作に対応するパソコン２００側の動作でありデジタルカメラ１００に装置ＩＤを送信する例である。
【００８９】
１．デジタルカメラ１００に空き容量を送信する例（図１０（ａ））
ステップＵ０：（デジタルカメラとの接続）
図１０（ａ）で、ユーザはパソコン２００の端子Ｂとデジタルカメラ１００の端子Ａをケーブル５で接続する（図１）
【００９０】
ステップＵ１：（受信信号の判定）
制御部２２０はデジタルカメラ１００から信号を受信するとその種類を調べ、対応の処理に遷移する。受信信号がパソコン２００の空き容量値送信要求信号（図６（Ｓ２）参照）の場合にはＵ２に遷移する。また、受信信号がパソコン２００からの送信画像データ（図６（Ｓ８）、（Ｓ１３）参照）の場合にはＵ３に遷移する。
【００９１】
ステップＵ２：（空き容量の送信）
制御部２２０は外部メモリ２５０の空き容量を調べてそれを送受信部２６０を介してデジタルカメラ１００に送信してＵ１に戻る。
【００９２】
ステップＵ３：（画像の受信および受信判定）
制御部２２０は画像データを受信バッファに一時記憶し、受信状態を調べる。１画像分の画像データを正常に受信し終わった場合にはＵ４に遷移し、そうでない場合にはＵ６に遷移する。
【００９３】
ステップＵ４：（受信画像の保存記録）
画像を正常に受信した場合には制御部２２０は受信バッファに記憶された画像を保存メモリに保存記録する。
【００９４】
ステップＵ５：（受信完了通知の送信）
制御部２２０は送受信部２６０を介してデジタルカメラ１００に受信完了通知信号を送信してＵ１に戻る。
【００９５】
ステップＵ６：（異常通知の送信）
制御部２２０は送受信部２６０を介してデジタルカメラ１００に異常通知信号を送信してＵ１に戻る。
【００９６】
２．デジタルカメラ１００から装置ＩＤと送信画像の容量を受信する例（図１０（ｂ））
【００９７】
ステップＵ０：（デジタルカメラとの接続）
図１０（ｂ）で、ユーザはパソコン２００の端子Ｂとデジタルカメラ１００の端子Ａをケーブル５で接続する（図１）
【００９８】
ステップＵ１’：（受信信号の判定）
制御部２２０はデジタルカメラ１００から信号を受信するとその種類を調べ、対応の処理に遷移する。先ず、受信信号が装置ＩＤ確認要求信号（図７（Ｔ２）、参照）の場合にはＵ２に遷移する。また、受信信号がデジタルカメラから送られる画像の容量信号（図７（Ｔ７）、（Ｔ１２）参照）の場合にはＵ３’−１に遷移する。また、受信信号がパソコン２００からの送信画像データ（図７（Ｔ８）、（Ｔ１３）参照）の場合にはＵ４に遷移する。
【００９９】
ステップＵ２：（装置ＩＤ確認結果の送信）
制御部２２０は受信した装置ＩＤがパソコン２００の装置ＩＤと一致しているか否かを調べ、その結果（装置ＩＤ確認信号または装置ＩＤエラー信号）を送受信部２６０を介してデジタルカメラ１００に送信してＵ１に戻る。
【０１００】
ステップＵ３’−１：（画像容量の受信および比較）
制御部２２０は受信した画像容量を制御部２２０のＲＡＭに一時記憶し、外部メモリ２５０の空き容量とその画像容量とを比較する。
【０１０１】
ステップＵ３’−２（比較結果の送信）
次に、制御部２２０は比較結果が外部メモリ２５０の残り容量≧画像容量の場合には送受信部２６０を介して送信許可通知信号を送信し、そうでない場合には送信不可通知信号を送信してＵ１に戻る。
【０１０２】
ステップＵ４〜ステップＵ７：（画像の受信〜正常受信完了通知の送信）の動作は図１０（ａ）の場合と同様である。
【０１０３】
３．デジタルカメラ１００に装置ＩＤを送信する例（図１０（ｃ））
ステップＵ０：（デジタルカメラとの接続）
図１０（ｃ）で、ユーザはパソコン２００の端子Ｂとデジタルカメラ１００の端子Ａをケーブル５で接続する（図１）
【０１０４】
ステップＵ１”：（受信信号の判定）
制御部２２０はデジタルカメラ１０から信号を受信するとその種類を調べ、対応の処理に遷移する。先ず、受信信号が装置ＩＤ送信要求信号（図８（Ｓ１’）、（Ｔ１’）参照）の場合にはＵ２”に遷移する。
また、受信信号がそれ以外の信号の場合には、図１０（ａ））や図１０（ｂ）の例のように対応の処理に遷移する。
【０１０５】
ステップＵ２”：（装置ＩＤの送信）
制御部２２０はパソコン２００の装置ＩＤを送受信部２６０を介してデジタルカメラ１００に送信し、Ｕ１（図１０（ａ）またはＵ１’（図１０（ｂ））に遷移する。
なお、ステップＵ０でデジタルカメラがパソコン２００に接続された後、直ちに装置ＩＤの送信を開始するようにしてもよい。すなわち、図８のＳ１’（Ｔ１’）と図１０（ｃ）のＵ１”の処理を省略してもよい。
【０１０６】
［撮像時の画像管理動作例］
図１１は、撮像時のデジタルカメラの動作例を示すフローチャートである。また、図１２は画像管理テーブルを用いた記録画像消去機能の一実施例を示すフローチャートである。
【０１０７】
ステップＶ１：（フラッシュメモリの未使用領域の有無判定）
制御部２０はフラッシュメモリ５０の残り容量を調べ、未使用領域がある場合（すなわち、画像の保存記録可能な場合）には撮像可能としてＶ２に遷移し、画像保存記録分の未使用領域がない場合にはＶ６に遷移する。
【０１０８】
ステップＶ２：（画像の取り込み、スルー画像表示）
被写体画像が取り込まれてＤＲＡＭ１４に記憶され、表示部４０に表示される。
【０１０９】
ステップＶ３：（撮像操作）
ユーザが被写体を所望の画角で捉え、所望のタイミングでシャッターボタンを押すとその時点に取り込まれた被写体画像が保有画像として決定される。
【０１１０】
ステップＶ４：（画像の保存記憶）
制御部２０は撮像画像にＪＰＥＧ圧縮処理を施し、圧縮された画像データをフラッシュメモリ５０に記憶する。
【０１１１】
ステップＶ５：（画像管理テーブルへの画像情報の登録）
制御部２０はフラッシュメモリ５０に保存記録した画像の画像番号、記憶開始アドレス、記憶終了アドレス、撮像日時、画像の種類、記録密度等の画像情報を画像管理テーブルに登録して保存記録処理を終了する。この場合、送信状態マークは登録済みの各装置ＩＤについて”０”とされる。
【０１１２】
ステップＶ６：（保存画像消去機能）
１枚の画像を保存記録するだけの未使用領域がフラッシュメモリ上にない場合には、画像管理テーブル７０の状態マークが所定の条件下の保存記録済みの画像を削除して未使用領域を設けて撮像画像を保存記録することができる（図１２の説明参照）
【０１１３】
（保存画像消去機能）
ステップＶ６−１：（削除候補画像の抽出）
図１２で、制御部２０は、画像管理テーブル７０をサーチし、状態マーク”１”が最も多い画像のうち撮影日時の古いものをフラッシュメモリから取り出す。
【０１１４】
ステップＶ６−２：（画像表示）
制御部２０は取り出した画像（圧縮データ）を伸長処理して再生し、図１３（ａ）に示すような削除候補表示画面（１２０）と共に表示する。削除候補表示画面には削除候補画像の他、削除メッセージ、送信済みの装置ＩＤ等を表示する。
【０１１５】
ステップＶ６−３：（キー操作の判定）
制御部２０は操作部３０からの状態信号を調べ、キー操作があったか否かを判定し、キー操作があった場合にはＶ６−４に遷移する。
【０１１６】
ステップＶ６−４：（前（次）画像の表示操作）
制御部２０は＋／−キーが押されているか否かを判定し、＋キーまたは−キーが押された場合にはＶ６−５に遷移し、そうでない場合にはＶ６−７に遷移する。
【０１１７】
ステップＶ６−５：（前（次）画像の有無判定）
制御部２０は画像管理テーブルを調べ、前または次の画像があるか否かを判定して、ある場合にはＶ６−６に遷移し、ない場合にはＶ６−３に戻って新たなキー操作を待つ。
【０１１８】
ステップＶ６−６：（前（次）画像の選択）
制御部２０は画像管理テーブル７０を調べ、＋キーが押された場合には現在表示されている画像の次に古い画像（状態マーク”１”の数が同じ場合）か状態マーク”１”の数が次に少ない画像のうち最も古い画像（状態マーク”１”の数が同じ画像がなくなった場合）の開始アドレスと記憶終了アドレスを取りだしてフラッシュメモリ５０から現在表示されている画像の次画像を取りだし、Ｖ６−２に遷移して表示する。
【０１１９】
また、−キーが押された場合には現在表示されている画像より古い画像のうち最も近い画像（状態マーク”１”の数が同じ場合）か状態マーク”１”の数が次に多い画像のうち最も新しい画像（状態マーク”１”の数が同じ画像がなくなった場合）の開始アドレスと記憶終了アドレスを取りだしてフラッシュメモリ５０から現在表示されている画像の前画像を取りだし、Ｖ６−２に遷移して表示する。
【０１２０】
ステップＶ６−７：（画像消去操作の有無判定）
上記ステップＶ６−３で押されたキーが画像削除キーの場合にはＶ６−８に遷移し、そうでない場合には削除機能の実行を終了させる。
【０１２１】
ステップＶ６−８：（画像削除処理）
制御部２０は現在表示されている画像をフラッシュメモリ５０から削除すると共に、画像管理テーブル７０のその画像に関わる登録情報を消去する。
【０１２２】
ステップＶ６−９；（撮像可能表示）
制御部２０は図１３（ｂ）に示すような撮像可能報知画面（１２５）を表示してユーザに撮像可能であることを知らせ、Ｖ２に遷移する。
【０１２３】
上記構成により、外部装置に送信済みの画像のうちの所望の画像を削除して未使用領域を迅速に確保できるので、撮像中に未使用領域がなくなったような場合に未使用領域を迅速に確保でき、撮像を続行することができる。
【０１２４】
（変形例）
また、上記実施例では図１１のステップＶ１で未使用領域の有無を調べ、ステップＶ６（図１２）で削除機能を実行するようにしたが、Ｖ６の削除機能に代えて、図１１のステップＶ３のシャッター操作後に未使用領域の有無を判定して、未使用領域がない場合に画像管理テーブル７０を調べて状態マーク”１”の最も多い画像のうち、最も撮影日時の古い画像を削除して撮像画像を保存記録するようにしてもよい。
【０１２５】
（応用例）
また、デジタルカメラ１００で、操作部の特定の機能選択ボタン（キー）に未送信画像表示モードの指定機能を与え、制御部２０はその未送信画像表示モードボタンが操作されると、画像管理テーブル７０から状態マークが”０”の画像のアドレスを取りだしてフラッシュメモリから画像データを読み出して再生し、順次表示するようにすることができる。また、この場合、更に、装置ＩＤを入力して装置別に未送信画像を表示するようにしてもよい。
【０１２６】
また、同様に、デジタルカメラ１００で、操作部の特定の機能選択ボタン（キー）に送信済画像表示モードの指定機能を与え、制御部２０はその送信済画像表示モードボタンが操作されると、画像管理テーブル７０から状態マークが”１”の画像のアドレスを取りだしてフラッシュメモリから画像データを読み出して再生し、順次表示するようにすることができる。また、この場合、更に、装置ＩＤを入力して装置別に送信済画像を表示するようにしてもよい。
【０１２７】
以上本発明のいくつかの実施例について説明したが本発明は上記各実施例に限定されるものではなく、種々の変形実施が可能であることはいうまでもない。
【図面の簡単な説明】
【０１２８】
【図１】電子撮像装置から外部保存装置への記録画像送信の説明図である。
【図２】本発明を適用した電子撮像装置の一実施例としてのデジタルカメラの回路構成例を示すブロック図である。
【図３】電子撮像装置から画像を受信して保存記録する外部装置の一実施例としてのパソコンの構成例を示すブロック図である。
【図４】フラッシュメモリの領域構成例の説明図である。
【図５】画像管理テーブルの構造の一実施例を示す構造説明図である。
【図６】デジタルカメラからパソコン（外部装置）に記録画像を送信（転送）する場合のデジタルカメラ側の画像管理動作例を示すフローチャートである。
【図７】デジタルカメラからパソコン（外部装置）に記録画像を送信（転送）する場合のデジタルカメラ側の画像管理動作例を示すフローチャートである。
【図８】デジタルカメラからパソコン（外部装置）に記録画像を送信（転送）する場合のデジタルカメラ側の画像管理動作例を示すフローチャートである。
【図９】選択画面の一実施例を示す図である。
【図１０】デジタルカメラからパソコン（外部装置）に記録画像を送信（転送）する場合のパソコン側の動作例を示すフローチャートである
【図１１】撮像時のデジタルカメラの動作例を示すフローチャートである。
【図１２】画像管理テーブルを用いた記録画像の消去機能実行時のデジタルカメラの一実施例を示すフローチャートである。
【図１３】画像削除機能実行時に表示する画面の一実施例を示す図である。
【符号の説明】
【０１２９】
２０  制御部（送信状態判別手段）
３０  操作部（外部装置識別情報入力手段、未送信画像表示指示手段、画像選択手段）
４０  表示部（画像選択手段、未送信画像表示手段）
５０  フラッシュメモリ（保存記録メモリ）
６０  送受信部（送信手段）
７０  画像管理テーブル（画像管理手段）
１００  デジタルカメラ（電子撮像装置）
２００  パーソナルコンピュータ（外部装置）
【図１】
0004775434.tif 000002
【図２】
0004775434.tif 000003
【図３】
0004775434.tif 000004
【図４】
0004775434.tif 000005
【図５】
0004775434.tif 000006
【図６】
0004775434.tif 000007
【図７】
0004775434.tif 000008
【図８】
0004775434.tif 000009
【図９】
0004775434.tif 000010
【図１０】
0004775434.tif 000011
【図１１】
0004775434.tif 000012
【図１２】
0004775434.tif 000013
【図１３】
0004775434.tif 000014